(57)【要約】      （修正有）【課題】野球バットの保護カバーに関し、バット同士が互いにぶつかり合い傷が付くことを防止する。【解決手段】野球バット、またはその他の構造の胴体部を保護するためのカバーを開示する。該カバーは、好ましくはネオプレンのような弾性ゴム材料から生成する。柔軟なカバーは、バットの挿入時にその形状を順応させる能力を有し、種々のサイズのバットに使用することができる。該カバーは防水製であり、カバーにプリントしたものの可視性を最大化するようにしてある。【選択図】図１
2005131390.tif 000002
【特許請求の範囲】
【請求項１】
弾性ゴム材料からなり、バットを略管状ケーシングに挿入するときに前記バットの胴体部を導入する開口端と、前記バットの前記胴体部と接するようにしてある閉端とを有する略管状ケーシングと、
部分的に前記略管状ケーシングの長さに沿って前記略管状ケーシングの前記閉端から伸長、分離して前記略管状ケーシングの前記開口端の最も近くから前記略管状ケーシングの前記開口端中まで伸長する割れ目を形成するシームとからなる野球またはソフトボールバットの保護カバー。
【請求項２】
前記弾性ゴム材料がネオプレンからなることを特徴とする請求項１に記載の保護カバー。
【請求項３】
更に、前記保護カバーを前記バットの前記胴体部に固定するようにしてある開口端に隣接する前記略管状ケーシングに取り付けた固定装置からなる請求項１に記載の保護カバー。
【請求項４】
更に、ループを形成するために前記略管状ケーシングに固定した２つの端を有するフィンガーストラップからなる請求項１に記載の保護カバー。
【請求項５】
更に、前記フィンガーストラップに固定した取付機構からなる請求項４に記載の保護カバー。
【請求項６】
更に、ループを形成するために前記略管状ケーシングの前記閉端に固定した２つの端を有するフィンガーストラップからなる請求項１に記載の保護カバー。
【請求項７】
更に、前記フィンガーストラップに固定した取付機構からなる請求項６に記載の保護カバー。
【請求項８】
更に、前記略管状ケーシングの前記閉端近くの位置において前記略管状ケーシングに固定した取付機構からなる請求項１に記載の保護カバー。
【請求項９】
更に、前記略管状ケーシングの前記閉端近くの位置において前記略管状ケーシングに固定するストラップに固定した取付機構からなる請求項１に記載の保護カバー。
【請求項１０】
前記取付機構が更に、クリップ、リング、または留め金のうちの少なくとも１つからなることを特徴とする請求項８に記載の保護カバー。
【請求項１１】
更に、前記略管状ケーシングの前記閉端近くの位置において前記略管状ケーシングに固定する第一の端と、前記略管状ケーシングの前記開口端近くの位置において前記略管状ケーシングに固定する第二の端とを含み、長さを調整できるショルダストラップからなる請求項１に記載の保護カバー。
【請求項１２】
更に、前記略管状ケーシングの前記閉端近くの位置において前記略管状ケーシングに固定する第一の端と、バットのグリップ部に固定するようにしてあるグリップ取付に固定する第二の端とを含み、長さを調整できるショルダストラップからなる請求項１に記載の保護カバー。
【請求項１３】
前記グリップ取付が、前記バットの前記グリップ部に巻きつけて固定するのに適し、面ファスナを介して接合する第一の端と第二の端とを有する材料のストリップからなることを特徴とする請求項１２に記載の保護カバー。
【請求項１４】
更に、スイングのトレーニング中に、抵抗をシミュレートするために前記略管状ケーシングに固定した抵抗デバイスからなる請求項１に記載の保護カバー。
【請求項１５】
前記抵抗デバイスが、前記略管状ケーシングの前記長さに略沿って前記略管状ケーシングに固定し、複数の交換可能なおもりの１つを収納、固定するようにしてある保持ストラップからなることを特徴とする請求項１４に記載の保護カバー。
【請求項１６】
前記交換可能なおもりが荷重ロッドからなることを特徴とする請求項１５に記載の保護カバー。
【請求項１７】
前記抵抗デバイスが、前記略管状ケーシングに固定し、複数の交換可能なおもりの１つを収納、固定するようにしてある保持ポーチからなることを特徴とする請求項１４に記載の保護カバー。
【請求項１８】
更に、前記保護カバーをバットに固定しやすくするために前記略管状ケーシングの前記開口端近くに配設した引き紐止めからなる請求項１に記載の保護カバー。
【請求項１９】
前記引き紐止めが、前記略管状ケーシングの前記開口端の外周に沿って形成した引き紐の輪に通した引き紐からなることを特徴とする請求項１８に記載の保護カバー。
【発明の詳細な説明】
【技術分野】
【０００１】
本発明の分野は、野球またはソフトボールバットなど、バットの保護カバーに関する。
【背景技術】
【０００２】
野球、ソフトボールなどに用いられるバットは一般に、金属製または木製である。したがって、日光、熱、湿気、および一般的な悪天候に長時間曝されると、バットが損傷することがある。バットの寿命も、バットを使用する個人の側の不注意な取り扱いによって短縮することがある。複数のバットを一緒に不適切に保管したり、他のさまざまな物にぶつけたりすると、例えば、溝状の傷、切り傷、ささくれ（木製バットの場合）、およびすり傷が生じることがある。
【０００３】
バットのいくつかの保護製品は周知である。しかしながら、これらの製品は一般的に、大きくて重く持ち運びしにくいキャリングケースやバッグなどであり、その多くは、いくつかのバットを一度に収納するように設計されている。特に、バットバッグは、保管した複数のバットが互いにぶつかり合い、損傷する可能性があるという欠点がある。また、このような製品は、軽量、柔軟であり、迅速且つ手軽に一本のバットに取り付け、取り外しが可能な保護バットカバーを探している個人には望ましくないことがある。
【０００４】
これら及びその他の欠点がある。
【発明の要旨】
【０００５】
以上に述べた当技術分野における問題を解決する本発明は、バット、または他の構造の保護カバーに関する。該カバーは、好ましくはネオプレンのような弾性ゴム材料から生成されるものとする。以下に詳述するように、他の材料を利用してもよい。
【０００６】
保護バットカバーが提供する利点の１つは、軽量、柔軟で、使いやすく、バットまたは類似の物に迅速且つ手軽に取り付け、取り外しが可能なことである。
【０００７】
他の周知のバットカバーを上回る保護バットカバーの更なる利点は、有害な環境要素に対して抵抗力の大きい材料でできているため、寿命が長いことである。
【０００８】
保護バットカバーの更なる利点は、有害な環境条件、ならびに不注意による他のさまざまな物との接触によって生じる損傷から、バットの胴体（または他の部分）を保護する能力である。
【０００９】
保護バットカバーの更なる利点は、バットを損傷せずに使用できる温度の範囲を広くする能力である。特に、金属製の野球バットは、低温時には硬くなり、高温時には柔らかくなることが多く、性質が変わることで知られている。これらの高温および低温期間中に、金属製バットを使用すると、バットがへこみやノッキングといった他の種類の損傷を受けやすくなることがある。ネオプレンでできた保護バットカバーは絶縁性を有し、低温時にはバットを暖め、また高温時にはバットを冷やしておく働きがあるので、バットの損傷を減らし、バットの寿命を伸ばす。
【００１０】
保護バットカバーの更なる利点は、バットの挿入時に、その形状をバットに順応させる能力であり、さまざまな大きさのバットに使用することが可能となる。ネオプレンの伸びる能力、ならびに「記憶の特異」性により、保護バットカバーを、カバーの直径より若干大きい直径を有するバットに容易に取り付け、取り外すことが可能となる。
【００１１】
保護バットカバーの更なる利点は、バットにカバーを装着することが容易になり、バットに相対的にしっかり取り付けることができる固定機構を設けていることである。
【００１２】
保護バットカバーの更なる利点は、カバーに印刷された種々のロゴまたは図形の可視性を最大化する適応能力である。保護カバーの表面領域は、特に保護カバーを遠くから見た場合でも、チーム名、企業名、チームロゴ、図形、またはその他のデザインの表示が目立つようにしてある。
【００１３】
保護バットカバーの更なる利点は、保護バットカバーの閉端に固定したフィンガーストラップおよび／または取付機構を設けていることである。バットから保護バットカバーを取り外しやすくするには、ユーザはフィンガーストラップをつかんで引っ張ればよい。フィンガーストラップも他の広範囲の目的に用いることができる。取付機構は、クリップ、フック、リング、留め金、または保護カバーを、例えば、ダッグアウトや球場内または周囲の柵など多くの対象物に、外せるように、手軽に、且つ迅速に、固定できる他の周知機構を含むことができる。
【００１４】
保護バットカバーの更なる利点は、ユーザが手軽に保護カバー（および／またはバット）を持ち運びできるようにするため、ショルダストラップを設けていることである。
【００１５】
保護バットカバーの更なる利点は、特定の実施形態において、トレーニングまたはその他の目的のために抵抗デバイス（例えば、荷重保護バットカバー）として機能する能力である。一実施形態によれば、ユーザがバット（保護カバーが固定してある）をスイングして抵抗をシミュレートできるように、保持ストラップを保護バットカバーに取り付け、任意の数の交換可能なおもり（例えば、荷重ロッド）を所定の場所に固定することができる。その際、選手（もしくはユーザ）は、バットが損傷しないように引き続き保護しながら、１回またはそれ以上の素振りをすることが可能である。
【００１６】
代替の一実施形態においては、種々の形状および／またはサイズの交換可能な種々のおもりをしっかり保持できる保護バットカバーに取り付けた保持ポーチを介して、筋力トレーニングを行うこともできる。
【００１７】
保護バットカバーの更なる利点は、バットにカバーを固定しやすくするため、カバーの開口端にまたはその近くに引き紐止めを設けていることである。
【００１８】
以上に述べた本発明の目的、構成、および効果は、好適な実施形態の詳細な説明および添付の図面に基づき明瞭となるものである。また、前述の一般的な説明および以下に述べる詳細な説明は典型的なものであり、説明上のものであって、本発明の範囲を限定するものではない。
【００１９】
添付の図面を参照して、本発明を説明するが、同じ要素は同じ番号で参照するものとする。
【好適な実施形態の詳細な説明】
【００２０】
本発明で用いる「バット」とは、レクリエーションまたはレクリエーション以外の場、またはその他の場で用いられる野球バット、ソフトボールバット、またはその他類似の構造を有する物品すべてを指すときに用いられる用語である。一般に、バットはグリップ部および胴体部からなるものと言える。そして、本発明の実施形態はグリップ部と胴体部の一方または両方を保護することを目的としたものである。
【００２１】
図１は、バット６の胴体部８に固定した保護バットカバー１０を図示する。本発明の一側面によれば、カバー１０を使用すると、バット６の胴体部８（または他の構造）に迅速かつ容易に着脱することができる。好ましくは、カバー１０はネオプレンのような弾性ゴム材料とする。ネオプレンの利点の１つは胴体の形状にぴったり密着する能力なので、カバー１０は種々のサイズのバットに使用可能であり、バットに装着すると、バットがしっかりと確実に納まるようにしてある。ネオプレンには、収縮能力に加えて、胴体の形状の「記憶」を留める能力もあるため、保護バットカバーを、カバーの直径より若干大きい直径を有するバットに容易に固定、取り外すことが可能となる。
【００２２】
ネオプレンは、クラッキング、膨張その他の悪い影響を受けがちなプラスチック、皮革、ナイロンなどのような弾性の低い材料より耐候性も高い。これにより、保護バットカバーは、バットを損傷せずに使用できる温度の範囲を広くすることが可能となる。例えば、野球の金属バットは低温時には硬くなり、高温時には柔らかくなることが多く、性質が変わることで知られている。バットをこれらの高温および低温期間中に使用すると、へこみやノッキングといった他の種類の損傷を受ける可能性が高くなる。ネオプレンでできた保護バットカバーは、絶縁性を有し、低温時にはバットを暖め、高温時にはバットを冷やしておく機能がある。ネオプレンは本発明を実施するのに好適な材料であるが、所望の性質を有する類似の材料であれば任意に使用可能なものである。例えば、合成皮革、各種ビニール、ビニールカバーフォーム、ナイロンカバーフォーム、または他の材料のカバーフォームを利用してもよい。
【００２３】
本発明の一実施形態によれば、保護バットカバー１０を組み立てるには、１つの材料片を図２に図示する２つの概略形状に切断して行う。第一の材料片１２は、好ましくは全体的に第一の略直線の縁１２ａおよび第二の略直線の縁１２ｂを有する角胴形に切断する。第一および第二の縁（１２ａ、１２ｂ）をＡおよびＢの矢印で図示した概略方向に互いに折り曲げる。第一と第二の縁（１２ａ、１２ｂ）を綴じるか、または別の方法で締結してシーム１４を形成すると、第一の材料片１２が２つの開口端を有する中空の管状ケーシングを形成する。第二の材料片１６は、好ましくは円形に切断した後、綴じるか、または別の方法で第一の材料片１２の開口端１３に締結すると、１つの閉端および１つの開口端（または開口部）１８を有する保護バットカバー１０を形成する。このようなカバーを図３に図示する。
【００２４】
図２に示すように、第一の材料片１２および第二の材料片１６の形状は、保護カバー１０を形成するために接合する形状群の典型である。説明または図示した材料片の配向、幾何学的説明、または構成はいずれも、もっぱら例示的なものであって、したがって、限定的なものではない。また、保護カバー１０は、任意の周知の製造技術または製造法を用いて１つの材料片のみ、または多くの材料片を用いても製造可能なものである。ここで説明および図示するように、保護バットカバーを実現するために、多種多様な方法で１つまたは複数の材料片を綴じたり、接着剤で接着したり、縫い合わせたりすることは、当業者に了承されるであろう。
【００２５】
ネオプレンのような材料は、胴体の形状にぴったり密着する能力があるため理想的であるが、カバー１０に面ファスナ（フックおよびループファスナ）のような（一般的には、ベルクロとして知られる）固定機構を具備させることが望ましいこともある。図２に図示するように、フックまたはループ材料のストリップ２２は、綴じることも、別の方法で第一の材料片１２に締結することもどちらも可能である。ストラップ２０は、ストリップ２２上に設けた材料の種類に応じて、フックまたはループ材料のどちらかを含有する第一の材料片の縁に締結することができる。ストリップ２２がフック材料を含有している場合は、例えば、ストラップ２０は好ましくはループ材料からなり、ストリップ２２がループ材料を含有している場合は、ストラップ２０は好ましくはフック材料からなる。図１および図４乃至図６は、面ファスナを用いる本発明の実施形態を図示したものである。代替実施形態（図示せず）においては、ボタン−スナップまたは他の固定機構を有するストリップを用いてもよい。実施形態の中には、固定機構を具備しないものもある。
【００２６】
保護カバー１０を使用するには、ユーザはバット６の胴体部８をカバーの開口部１８に滑り込ませた後、カバーを好ましくはできる限りバットの胴体までかぶせればよい。そうすると、ストラップ２０がストリップ２２に締結され、カバーをバットにより一段と固着させることが可能となる。図３に図示するように、カバー１０上にはロゴまたは図形を目立たせる広い領域が存在する。
【００２７】
前述の実施形態においては、第一の材料片１２の第一および第二の縁（１２ａ，１２ｂ）は綴じるか、または他の方法で締結し、カバーの長さ全体にわたって伸長するシーム１４を形成した。本発明の他の実施形態においては、図５に図示するように、第一と第二の縁（１２ａ，１２ｂ）を締結し、カバー１０の長さに沿って部分的にのみ伸張するシーム１４を形成し、開口部１８の下方に伸張する割れ目を残す。カバー１０の下部に割れ目を設けると、バットにカバーを装着する過程が容易になる。例えば、ユーザが割れ目の２つの縁（１２ａ，１２ｂ）の一方または両方をつかんで引っ張れば、バットにカバーを装着することが容易になる。また、割れ目を設けることで、２つの縁をきつく引っ張って留めると、２つの縁（１２ａ，１２ｂ）を互いに重ね合わせることができるので、カバー１０がバットに相対的にしっかり取り付けられる。
【００２８】
図６は、第一の材料片１２を切って、第二の縁１２ｂから伸長する丸いまたは他の形状の第一のタブ２４を有する形状にし、第一の縁１２ａから伸長する丸いまたは他の形状の第二のタブ２６（図６の点線で示したもの）を有する形状にする。前述の実施形態と同様に、第一と第二の縁（１２ａ，１２ｂ）を締結し、カバー１０の長さに沿って部分的にのみ伸長するシーム１４を形成し、開口部１８まで伸長する割れ目を残す。「ベルクロ」（商標名）固定ストラップ２０をタブ２４に貼り付け、２つのタブをきつく引っ張って締結すると、偏向位置で２つのタブを互いに重ね合わせることができるので、カバー１０をバットにより一段と固着させることが可能となる。代替の一実施形態においては、タブ２４とタブ２６の一方または両方がある。
【００２９】
保護カバー１０の実施形態を図１乃至図６に図示するが、さまざまな代替がある。例えば、図７において、保護カバー１０は、バット６の長さ全体に沿って伸長しているのが示されている。ジッパー止め２８入りの図を示しているが、一連の「ベルクロ」（商標名）ストラップまたはボタン−スナップを含むが、これに限定しない種々の閉止機構を用いることができる。  
【００３０】
図８は、保護カバーが固定機構を具備していない一実施形態を図示する。正確に言えば、カバー１０は、詳細に前述したように、第一と第二の縁（１２ａ，１２ｂ）を締結し、カバー１０の長さに沿って部分的にのみ伸長するシーム１４を形成し、開口部１８まで伸長する割れ目を残す。割れ目を設けることで、ユーザが割れ目の２つの縁（１２ａ，１２ｂ）の一方または両方をつかんで引っ張ると、カバーをバットに装着する過程が容易になる。
【００３１】
本発明の一実施形態によれば、固定機構、または開口部１８中に伸長する割れ目のどちらも必要とせずに、保護カバー１０を設けることができる。
【００３２】
図９に図示した本発明の一実施形態によれば、カバー１０の閉端（開口端１８の反対端）に固定可能なフィンガーストラップ４０を設けることができる。フィンガーストラップ４０は、適切な任意の製造技術を用いて、カバー１０の閉端に綴じることも、接着剤で接着することも、縫い合わせることも、他の方法で締結することも可能である。典型的な一実施形態によれば、前述のように、好ましくは円形に切った第二の材料片１６（図２）を第一の材料片１２の開口端１３に綴じるか、または他の方法で締結すると、フィンガーストラップ４０を所定の位置に固定してカバー１０を形成することができる。カバー１０をバットから取り外しやすくするには、ユーザはフィンガーストラップ４０をつかんで引っ張ればよい。フィンガーストラップ４０はまた、カバー１０をバットを保護する時に使用しているか否かにかかわらず、目標物（例えば、掛け釘、釘、柵の支柱その他）にカバー１０を掛けるためのループとなるものを含むが、これに限定されない他の広範囲の目的に使用することができる。
【００３３】
フィンガーストラップ４０に加えて、特定の実施形態において、カバー１０に取付機構６０を設けることもできる。取付機構６０はカバー１０から伸長するストラップ５０に固定することができる。前述のフィンガーストラップ４０と同様に、ストラップ５０も適切な任意の製造技術を用いて、カバー１０の閉端に綴じることも、接着剤で接着することも、縫い合わせることも、他の方法で締結することも可能である。図９に止め金具として図示したが、取付機構６０もフック、リング（例えば、キーホルダー）、留め金、またはカバー１０を、外せるように、手軽に、且つ迅速に、ダッグアウトや球場内または周囲の柵などの任意の数の目標物に固定できる他のあらゆる周知の機構を含むことが可能である。特定の実施形態においては、フィンガーストラップ４０およびストラップ５０または取付機構６０の一方、または両方をカバー１０に具備することができる。代替実施形態（図示せず）においては、取付機構６０は、フィンガーストラップ４０に沿った任意の場所で直接フィンガーストラップ４０に取り付けることも、直接フィンガーストラップ４０に取り付けるストラップに直接取り付けることもできる。他の構成を利用してもよい。
【００３４】
図１０に図示した本発明の更なる他の実施形態によれば、保護カバー１０は更に、ユーザが手軽にカバー１０および／またはバット６を持ち運びできるようにショルダストラップ７０を具備することができる。ショルダストラップ７０は、カバー１０の閉端近くに綴じることも、接着剤で接着することも、縫い合わせることも、他の方法で締結することも可能な第一の端、およびカバー１０の開口端１８の近くに綴じることも、接着剤で接着することも、縫い合わせることも、他の方法で締結することも可能な第二の端とを含むことができる。特定の実施においては、ショルダストラップ７０を送り込み、そのショルダストラップ７０の長さをさまざまなユーザに合わせて調整且つカスタマイズできるようにする留め金７２を設けることができる（当業者が周知であり、了承している如く）。
【００３５】
図１１Ａに図示した代替実施形態によれば、ショルダストラップ７０の第一の端は、カバー１０の閉端近くに綴じることも、接着剤で接着することも、縫い合わせることも、他の方法で締結することもできる。これに対し、ショルダストラップ７０の第二の端は、バット６のグリップ部に巻きつけて固定するようにしてあるグリップ取付８０に固定することができる。図１１Ｂに示すように、グリップ取付８０は、バット６のグリップ部にグリップ取付８０をしっかり締結する面ファスナ、ボタン−スナップ、またはその他の適切な取付機構を介して、接合することが可能な第一の端８２および第二の端８４とを有する布製のストリップまたはその他の適切な任意の材料を含むことができる。
【００３６】
カバー１０はまた、カバー１０がバットを保護する多数の利点に加え、特定の実施形態において、トレーニングまたは他の目的に使用する抵抗デバイスとしての機能を果たすことができる。例えば、図１２Ａに図示するように、保持ストラップ９０はカバー１０の全長または一部に沿ってカバー１０に綴じることも、接着剤で接着することも、縫い合わせることも、他の方法で締結することもできる。ユーザがバット（カバー１０が固定してある）をスイングして抵抗をシミュレートできるように、保持ストラップ９０はおもり１００（例えば、荷重ロッド）を所定の場所に固定することができる。その際、選手（もしくはユーザ）は、バットが損傷しないように引き続き保護しながら、１回またはそれ以上の素振りをすることが可能である。さまざまな実施形態においては、保持ストラップ９０で種々の長さおよび／または重量の交換可能ロッドを固定してもよい。
【００３７】
本発明の一実施形態によれば、保持ストラップ９０は、支持ストリップ９４（例えば、図１２Ａおよび図１２Ｂ）にその長さに沿って固定した任意の長さの材料の任意の数の曲がり片９２を含むことができるので、溝を形成してロッド１００を所定の場所に取り付けることが可能となる。支持ストリップ９４は、カバー１０の長さ全体に沿っても、カバー１０の一部のみに沿っても伸長（および貼る）することができる。ロッド１００が挿入時に露出されるように、一連の曲がり片９２は、支持ストリップ９４に沿ってスペースをあけてもよい。このようにすると、ユーザはロッド１００を挿入または除去するときに、自分の指でロッド１００を導くことができるからである。
【００３８】
一実施においては、ユーザがバットをスイングするときに、保持ストラップ９０からロッド１００が滑り落ちないようにするため、カバー１０の閉端に最も近い場所に配設した曲がり片９２の端９３を支持ストリップ９４に固定することができる。他の取付機構（例えば、面ファスナ）を保持ストラップ９０に沿って貼り、形成された溝の中にロッド１００を固定してもよい。
【００３９】
保持ストラップ９０は、組み立て中にシーム１４と一体形成することも、任意の場所でカバー１０の全長または一部に沿って配設することもできる。図１２Ｃに図示した代替の一実施形態においては、保持ストラップ９０は、仲介の支持ストリップ９４を使用せずに、カバー１０に直接取り付けた任意の長さの材料の任意の数の曲がり片９２を含んでもよい。その他の構成を利用してもよい。
【００４０】
図１３Ａおよび図１３Ｂに図示した本発明の一実施形態によれば、代替として、種々の形状および／サイズの交換可能な種々のおもり（図示せず）を収納および固定するように設計してある保持ポーチ１１０を介して筋力トレーニング（筋トレ）を行うこともできる。保持ポーチ１１０は、２つの対向（縦方向に）縁（１１２ａ、１１２ｂ）、および２つの対向（幅方向に）端（１１２ｃ、１１２ｄ）を有する角胴形または他の形状の材料片を含むことができる。対向端１１２ｃをカバー１０に固定し、対向縁（１１２ａ、１１２ｂ）をそれぞれの全長、または略全長に沿ってカバー１０に固定することができる。対向端１１２ｄに最も近くにある対向縁（１１２ａ、１１２ｂ）のそれぞれの一部は、カバー１０に固定できないことから、保持ポーチ１１０を端１１２ｄの所で矢印“Ｂ”で図示した方向に折り返すことが可能となる。フックおよび／またはループファスナ（面ファスナ）の一部を端１１２の下側に貼り付けると、端１１２と平行の方向にカバー１０に固定したフックおよび／またはループファスナのストリップ１１４と接合することができる。端１１２を矢印“Ａ”で図示した方向に折り返すと、端１１２の下側に貼り付けたフックおよび／またはループファスナがストリップ１１４のフックおよび／またはループファスナと接合することによって、ポーチがしっかり閉じるようになる。
【００４１】
保持ポーチ１１０を閉じると（図１３Ｂ）、ユーザがバット（カバー１０が取り付けられている）をスイングして抵抗をシミュレートできるように、１つまたは複数の交換可能なおもりを所定の位置に固定することができる。その際、選手（もしくはユーザ）は、バットを損傷しないように引き続き保護しながら、１回またはそれ以上の素振りをすることが可能である。
【００４２】
一部の実施形態によれば、カバー１０の直径は、一部のバットの直径より若干大きい。したがって、特定の実施において、カバー１０をバットに固定しやすくするため、カバー１０は開口端１８に引き紐止めを具備することがある。図１４Ａおよび図１４Ｂに図示した本発明の一実施形態によれば、引き紐１５４をカバー１０の開口端１８沿い（例えば、開口端１８の外周沿い）か、またはカバー１０の開口端１８近くに形成した引き紐の輪１５０に通すことができる。一度、引き紐１５４を引っ張ってカバー１０をバット６に固定すると、締付機構１５６（当業者に認識されているように）を用いて、引き紐１５４を所定の場所（特定の場所）に固定することができる。他の引き紐構成および／または締付機構を利用してもよい。
【００４３】
本発明の一実施によれば、図１５に図示するように、カバー１０をバット６に固定しやすくするため、１つまたは複数の固定ストラップ１６４を設けることができる。図１２Ａ乃至１２Ｃおよび図１３Ａおよび図１３Ｂに関して前述したように、１つまたは複数の固定ストラップ１６４を設けると、例えば、カバー１０に重み付けする場合に役立つことがある。ユーザが筋力トレーニングまたはその他の目的でおもりのついたカバーを装着したバットをスイングした場合、１つまたは複数の固定ストラップ１６４は、通常ならカバーが外れたかもしれないそれらの力（おもりによって生じた）に対抗できるため、カバーの一部（または全部）が外れないようにしてある。一実施形態によれば、ストラップ１６４は、弾性材料または他の任意の数の材料から製造することが可能であり、任意の数のストラップ１６４をカバー１０の開口端１８の外周に沿って向きを合わせた任意の数の接続点１６８においてカバー１０に固定することが可能である。ストラップ１６４は接続点１６８（例えば、綴じた箇所）でカバー６０に永久に固定することも、取り外し可能な接続機構（例えば、ダブルクリップ、ベルクロその他）を介して固定することもできる。１つまたは複数のストラップ１６４は、バット６のグリップ部に沿って伸長して永久に固定することも、グリップ端にあるバット６のつまみ近くに配設したリング１６０に取り外せるように固定することも可能である。リング１６０は、バット６のグリップのつまみまで伸びるようにしてある弾性リングとしても、例えば、図１１Ｂで詳細に前述且つ図示したように、グリップ取付８０と類似のリングとしてもよい。他の構成を利用してもよい。実施形態の中には、カバー１０に重み付けしない場合でも、１つまたは複数のストラップ１６４を利用するものもある。
【００４４】
添付の図面で詳細に上述且つ図示したさまざまな実施形態は限定的なものではない。そのようなものとして、さまざまな実施形態においては、保護バットカバーは、例えば、固定機構、略管状ケーシングの開口端中に伸長する割れ目シーム、ロゴ、フィンガーストラップおよび／または取付機構、ショルダストラップ、交換可能なおもり（筋力トレーニングまたは他の用途用）、引き紐止め、または固定ストラップなど、本発明で開示したいずれか１つまたは複数の機能のどれも含まないか、または任意の組み合わせを具備することができる。
【００４５】
本発明の他の実施形態、用途、および効果は、ここに開示した本発明の明細書および実践に基づき当業者に明瞭となるものである。本明細書は、もっぱら典型のものであって、したがって、本発明の範囲は特許請求の範囲に記載の内容によって定まるものである。  
【図面の簡単な説明】
【００４６】
【図１】本発明の実施形態に係るバットの胴体を入れる保護バットカバーを図示する。
【図２】本発明の実施形態に係る組み立て中の保護バットカバーを構成する種々の部品の形状を図示する。
【図３】本発明の実施形態に係る保護バットカバーを図示する。
【図４】本発明の実施形態に係る保護バットカバーを図示する。
【図５】本発明の実施形態に係る保護バットカバーを図示する。
【図６】本発明の実施形態に係る保護バットカバーを図示する。
【図７】本発明の実施形態に係るバットを入れる保護バットカバーを図示する。
【図８】本発明の実施形態に係る保護バットカバーを図示する。
【図９】本発明の実施形態に係るフィンガーストラップおよび取付機構を有する保護バットカバーを図示する。
【図１０】本発明の実施形態に係るショルダストラップを有する保護バットカバーを図示する。
【図１１】Ａは本発明の実施形態に係るショルダストラップを有する保護バットカバーを図示し、Ｂは本発明の実施形態に係るグリップ取付を図示する。
【図１２】Ａ乃至Ｃは本発明の実施形態に係る保護バットカバーに固定した保持ストラップの種々の観点を図示する。
【図１３】ＡおよびＢは本発明の実施形態に係る保護バットカバーに固定した保持ポーチの種々の観点を図示する。
【図１４】ＡおよびＢは本発明の実施形態に係る引き紐止めを有する保護バットカバーを図示する。
【図１５】本発明の実施形態に係る固定ストラップを有する保護バットカバーを図示する。
【図１】
2005131390.tif 000003
【図２】
2005131390.tif 000004
【図３】
2005131390.tif 000005
【図４】
2005131390.tif 000006
【図５】
2005131390.tif 000007
【図６】
2005131390.tif 000008
【図７】
2005131390.tif 000009
【図８】
2005131390.tif 000010
【図９】
2005131390.tif 000011
【図１０】
2005131390.tif 000012
【図１１】
2005131390.tif 000013
【図１２】
2005131390.tif 000014
【図１３】
2005131390.tif 000015
【図１４】
2005131390.tif 000016
【図１５】
2005131390.tif 000017
【外国語明細書】
2005131390.tif 000018
2005131390.tif 000019
2005131390.tif 000020
2005131390.tif 000021
2005131390.tif 000022
2005131390.tif 000023
2005131390.tif 000024
2005131390.tif 000025
2005131390.tif 000026
2005131390.tif 000027
2005131390.tif 000028
2005131390.tif 000029
2005131390.tif 000030
2005131390.tif 000031
2005131390.tif 000032
2005131390.tif 000033
2005131390.tif 000034
2005131390.tif 000035
2005131390.tif 000036
2005131390.tif 000037
2005131390.tif 000038
2005131390.tif 000039
2005131390.tif 000040
2005131390.tif 000041
2005131390.tif 000042
2005131390.tif 000043
2005131390.tif 000044
2005131390.tif 000045
2005131390.tif 000046
2005131390.tif 000047
2005131390.tif 000048
2005131390.tif 000049
2005131390.tif 000050
2005131390.tif 000051
2005131390.tif 000052